(57)【要約】【課題】  音声認識プロセスが、適切なタイミングで自動的に実行され、不必要なときに音声認識プロセスが実行されず、ＣＰＵの処理を軽減することができる通信装置を提供することを目的とするものである。【解決手段】  音声のアナログ信号をデジタルデータに変換するＡ／Ｄ変換手段と、上記Ａ／Ｄ変換手段によって変換されたデジタルデータを、予め記憶されている語句のデジタルデータパターンと比較し、認識する音声認識解析手段とを具備する通信装置において、親機ハンドセットのオフフックを検知するオフフック検知手段と、着信があるか否かを検知する着信検知手段と、上記オフフック検知手段によってオフフックが検知され、かつ上記着信検知手段によって着信が無いと判断されると、上記音声認識解析手段を起動させるように制御する音声認識制御手段とを有する通信装置である。【選択図】  図１
2005277518.tif 000002
【特許請求の範囲】
【請求項１】
音声のアナログ信号をデジタルデータに変換するＡ／Ｄ変換手段と、上記Ａ／Ｄ変換手段によって変換されたデジタルデータを、予め記憶されている語句のデジタルデータパターンと比較し、認識する音声認識解析手段とを具備する通信装置において、
親機ハンドセットのオフフックを検知するオフフック検知手段と；
着信があるか否かを検知する着信検知手段と；
上記オフフック検知手段によってオフフックが検知され、かつ上記着信検知手段によって着信が無いと判断されると、上記音声認識解析手段を起動させるように制御する音声認識制御手段と；
を有することを特徴とする通信装置。
【請求項２】
請求項１において、
ユーザが操作して発信するためのダイヤル操作手段と；
上記ダイヤル操作手段によってダイヤルされたか否かを検知するダイヤル検知手段と；
上記ダイヤル検知手段がダイヤルされたと判断すると、上記音声認識解析手段による音声認識を中断する音声認識中断手段と；
を有することを特徴とする通信装置。
【請求項３】
音声のアナログ信号をデジタルデータに変換するＡ／Ｄ変換手段と、上記Ａ／Ｄ変換手段によって変換されたデジタルデータを、予め記憶された語句のデジタルデータパターンと比較し、認識する音声認識解析手段を持つ通信装置において、
着信があるか否かを検知する着信検知手段と；
子機から外線に通話する子機外線通話手段と；
子機から親機へ内線通話する子機内線通話手段と；
上記子機外線通話手段または上記子機内線通話手段を選択する子機通話選択手段と；
上記子機通話選択手段が子機外線通話を選択し、着信が無いことを上記着信検知手段が判断すると、上記音声認識解析手段を起動させるように制御する音声認識制御手段と；
を有することを特徴とする通信装置。
【請求項４】
請求項３において、
子機を介して、ユーザが操作し、発信するための子機ダイヤル操作手段と；
上記子機ダイヤル操作手段によってダイヤルされたか否かを検知する子機ダイヤル検知手段と；
ダイヤルされたことを子機ダイヤル上記検知手段が判断すると、上記音声認識解析手段による音声認識を中断する音声認識中断手段と；
を有することを特徴とする通信装置。
【請求項５】
音声のアナログ信号をデジタルデータに変換するＡ／Ｄ変換手段と、上記Ａ／Ｄ変換手段によって変換されたデジタルデータを、予め記憶された語句のデジタルデータパターンと比較し、認識する音声認識解析手段を持つ通信装置において、
着信があるか否かを検知する着信検知手段と；
子機から外線に通話する子機外線通話手段と；
上記子機から親機へ内線通話する子機内線通話手段と；
子機外線通話手段または上記子機内線通話手段を選択する子機通話選択手段と；
上記親機が内線に応答する親機内線応答手段と；
上記子機通話選択手段が子機内線を選択し、上記親機内線応答手段が応答すると、上記音声認識解析手段を起動させるように制御する音声認識制御手段と；
を有することを特徴とする通信装置。
【請求項６】
請求項５において、
内線呼び出し時間をユーザが設定する内線呼び出し時間設定手段と；
内線呼び出し時間をカウントする呼び出し時間カウント手段と；
上記親機が内線に自動応答する内線自動応答手段と；
上記子機通話選択手段が子機内線を選択したときに、上記呼び出し時間カウント手段がカウントした呼び出し時間が、上記内線呼び出し時間設定手段が設定した時間を超えたとときに、上記内線自動応答手段に内線自動応答させ、上記音声認識解析手段を起動させるように制御する音声認識制御手段と；
を有することを特徴とする通信装置。
【請求項７】
請求項５において、
上記親機内線応答手段が内線応答したときに、子機のみの音声を上記Ａ／Ｄ変換部へ入力するように制御する音声経路制御手段を有することを特徴とする通信装置。
【請求項８】
請求項６において、
上記内線自動応答手段が内線自動応答したときに、子機のみの音声を上記Ａ／Ｄ変換部へ入力するように制御する音声経路制御手段を有することを特徴とする通信装置。
【請求項９】
音声のアナログ信号をデジタルデータに変換するＡ／Ｄ変換手段と、上記Ａ／Ｄ変換手段によって変換されたデジタルデータを、予め記憶されている語句のデジタルデータパターンと比較し、認識する音声認識解析手段とを具備する通信装置の制御方法において、
親機ハンドセットのオフフックを検知するオフフック検知段階と；
着信があるか否かを検知する着信検知段階と；
上記オフフック検知段階でオフフックが検知され、かつ上記着信検知段階で着信が無いと判断されると、上記音声認識解析手段を起動させるように制御する音声認識制御段階と；
を有することを特徴とする通信装置の制御方法。
【請求項１０】
音声のアナログ信号をデジタルデータに変換するＡ／Ｄ変換手段と、上記Ａ／Ｄ変換手段によって変換されたデジタルデータを、予め記憶された語句のデジタルデータパターンと比較し、認識する音声認識解析手段を持つ通信装置の制御方法において、
着信があるか否かを検知する着信検知段階と；
子機から外線に通話する子機外線通話段階と；
子機から親機へ内線通話する子機内線通話段階と；
上記子機外線通話段階または上記子機内線通話段階を選択する子機通話選択段階と；
上記子機通話選択段階で子機外線通話を選択し、着信が無いことを上記着信検知段階で判断すると、上記音声認識解析手段を起動させるように制御する音声認識制御段階と；
を有することを特徴とする通信装置の制御方法。
【請求項１１】
音声のアナログ信号をデジタルデータに変換するＡ／Ｄ変換手段と、上記Ａ／Ｄ変換手段によって変換されたデジタルデータを、予め記憶された語句のデジタルデータパターンと比較し、認識する音声認識解析手段を持つ通信装置の制御方法において、
着信があるか否かを検知する着信検知段階と；
子機から外線に通話する子機外線通話段階と；
上記子機から親機へ内線通話する子機内線通話段階と；
子機外線通話段階または上記子機内線通話段階を選択する子機通話選択段階と；
上記親機が内線に応答する親機内線応答段階と；
上記子機通話選択段階で子機内線を選択し、上記親機内線応答段階で応答すると、上記音声認識解析手段を起動させるように制御する音声認識制御段階と；
を有することを特徴とする通信装置の制御方法。
【請求項１２】
音声のアナログ信号をデジタルデータに変換するＡ／Ｄ変換手段と、上記Ａ／Ｄ変換手段によって変換されたデジタルデータを、予め記憶されている語句のデジタルデータパターンと比較し、認識する音声認識解析手段とを具備する通信装置を制御するプログラムにおいて、
親機ハンドセットのオフフックを検知するオフフック検知手順と；
着信があるか否かを検知する着信検知手順と；
上記オフフック検知手順でオフフックが検知され、かつ上記着信検知手順で着信が無いと判断されると、上記音声認識解析手段を起動させるように制御する音声認識制御手順と；
をコンピュータに実行させるプログラム。
【請求項１３】
音声のアナログ信号をデジタルデータに変換するＡ／Ｄ変換手段と、上記Ａ／Ｄ変換手段によって変換されたデジタルデータを、予め記憶された語句のデジタルデータパターンと比較し、認識する音声認識解析手段を持つ通信装置を制御するプログラムにおいて、
着信があるか否かを検知する着信検知手順と；
子機から外線に通話する子機外線通話手順と；
子機から親機へ内線通話する子機内線通話手順と；
上記子機外線通話手順または上記子機内線通話手順を選択する子機通話選択手順と；
上記子機通話選択手順で子機外線通話を選択し、着信が無いことを上記着信検知手順で判断すると、上記音声認識解析手段を起動させるように制御する音声認識制御手順と；
をコンピュータに実行させるプログラム。
【請求項１４】
音声のアナログ信号をデジタルデータに変換するＡ／Ｄ変換手段と、上記Ａ／Ｄ変換手段によって変換されたデジタルデータを、予め記憶された語句のデジタルデータパターンと比較し、認識する音声認識解析手段を持つ通信装置を制御するプログラムにおいて、
着信があるか否かを検知する着信検知手順と；
子機から外線に通話する子機外線通話手順と；
上記子機から親機へ内線通話する子機内線通話手順と；
子機外線通話手順または上記子機内線通話手順を選択する子機通話選択手順と；
上記親機が内線に応答する親機内線応答手順と；
上記子機通話選択手順で子機内線を選択し、上記親機内線応答手順で応答すると、上記音声認識解析手段を起動させるように制御する音声認識制御手順と；
をコンピュータに実行させるプログラム。
【発明の詳細な説明】
【技術分野】
【０００１】
本発明は、音声認識によって多様なアプリケーションを実現可能であり、親機と子機との無線区間を、アナログ方式とデジタル方式とによって制御する電話システムを備え、親機としてファクシミリ装置を有するコードレス電話機付ファクシミリ装置等の通信装置に関するものである。
【背景技術】
【０００２】
近年、音声認識機能を持ち、たとえば、発信する際に、キー操作によるダイヤル操作や電話帳検索操作をするのではなく、音声入力によって電話番号を入力し、登録された電話帳の宛先を検索する等して発信する電話機が知られている（たとえば、特許文献１参照。）。
【０００３】
また、これらの電話機の中には、親機と子機とを無線で接続するいわゆるコードレス電話機も含まれ、子機から入力された音声を認識し、親機の電話帳データから所望の宛先データを検索し、この検索した宛先データを子機に転送するように指示し、親機に蓄積されている留守番メッセージを聞くことができる電話機も知られている。
【特許文献１】特開２０００−１１５３２５号公報
【発明の開示】
【発明が解決しようとする課題】
【０００４】
上記のような音声認識を行う場合、入力トリガとして音声入力キー等をユーザが操作することによって、音声認識のプロセスを開始し、音声の入力が終了するか、所定の音声認識時間が経過するまで、プロセスを起動する必要がある。
【０００５】
したがって、上記従来例では、親機と子機との間で音声認識をする場合、音声認識プロセスの開始を制御するためのキーを、親機、子機ともに設ける必要があり、製品価格が高くなる要因であるという問題がある。
【０００６】
また、上記従来例では、ユーザが外部に電話し、通話する場合、音声認識プロセスが同時に起動していると、入力された音声を、逐一認識するのでＣＰＵの負荷が大きく、また、通話中の言葉の中に、装置に対して何らかの動作を指示する命令語句が含まれている場合、ユーザが意識せずに、装置が誤動作する等、弊害が発生するという問題がある。
【０００７】
本発明は、通常の電話をする場合と同じ感覚で、ユーザが音声認識機能を利用することができ、しかも、音声認識のための特別なキーを、親機、子機ともに設ける必要がなく、製品コストを安く抑えることができる通信装置を提供することを目的とするものである。
【０００８】
また、本発明は、音声認識プロセスが、適切なタイミングで自動的に実行され、不必要なときに音声認識プロセスが実行されず、ＣＰＵの処理を軽減することができる通信装置を提供することを目的とするものである。
【課題を解決するための手段】
【０００９】
本発明は、音声のアナログ信号をデジタルデータに変換するＡ／Ｄ変換手段と、上記Ａ／Ｄ変換手段によって変換されたデジタルデータを、予め記憶されている語句のデジタルデータパターンと比較し、認識する音声認識解析手段とを具備する通信装置において、親機ハンドセットのオフフックを検知するオフフック検知手段と、着信があるか否かを検知する着信検知手段と、上記オフフック検知手段によってオフフックが検知され、かつ上記着信検知手段によって着信が無いと判断されると、上記音声認識解析手段を起動させるように制御する音声認識制御手段とを有する通信装置である。
【発明の効果】
【００１０】
本発明によれば、ユーザは、通常の電話をする場合と同じ感覚で、音声認識機能を利用することができ、しかも、音声認識のための特別なキーを、親機、子機ともに設ける必要がなく、製品コストを安く抑えることができるという効果を奏する。
【００１１】
また、本発明によれば、音声認識プロセスが、適切なタイミングで自動的に実行され、不必要なときに音声認識プロセスが実行されないので、ＣＰＵの処理を軽減することができるという効果を奏する。
【発明を実施するための最良の形態】
【００１２】
発明を実施するための最良の形態は、次の実施例である。
【実施例１】
【００１３】
図１は、本発明の実施例１であるコードレス電話機付きファクシミリ装置ＦＳ１を示すブロック図である。
【００１４】
本発明の実施例１であるコードレス電話機付きファクシミリ装置ＦＳ１は、親機１と、子機１６とを有する。
【００１５】
親機１は、読取部２と、記録部３と、表示部４と、メモリ５と、音声認識解析部６と、通信部７と、制御部８と、操作部９と、音声メモリ１０と、Ａ／Ｄ変換部１１と、無線Ｉ／Ｆ部１２と、ハンドセット１３と、スピーカ１４と、音声経路制御部１５とを有する。
【００１６】
読取部２は、原稿を読み取り、ライン単位に走査する着脱式のスキャナ等によって構成され、記録部３は、画信号や装置定数等、各種レポートの印字出力を行う。表示部４は、登録等、操作の際のガイダンス、各種警告、時刻等、装置の状態を表示する。
【００１７】
メモリ５は、各種データを保持する領域であり、ユーザが登録した電話帳、各種装置設定、ＦＡＸ受信データ、留守録の音声データ等が格納されている。
【００１８】
音声認識解析部６は、音声メモリ１０に格納されているデジタルデータから、音声データの特徴を解析し、抽出した音声データパターンと、図示しない多くの認識パターンが登録された認識辞書とを比較し、認識結果を出力する。
【００１９】
通信部７は、モデム、ＮＣＵ（網制御装置）等によって構成され、通信網に接続され、通信データの授受を行う。
【００２０】
制御部８は、マイクロプロセッサ素子を具備し、図示しないＲＯＭに格納されているプログラムに従って、ファクシミリ装置ＦＳ１の全体を制御する。
【００２１】
Ａ／Ｄ変換部１１は、ハンドセット１３等から入力された音声のアナログ信号を、一定周期でサンプリングし、デジタル信号に変換し、この変換されたデジタル信号データは、音声メモリ１０へ格納される。また、無線Ｉ／Ｆ部１２を介して、子機で入力された音声も、デジタル信号に変換することができる。
【００２２】
無線Ｉ／Ｆ部１２は、子機との間で、無線通信を行う際におけるインタフェース部であり、音声とともに、親機子機間で、コマンド、データの授受を行う。
【００２３】
ハンドセット１３は、外線や内線に使用され、音声認識のための音声入力にも使用される。スピーカ１４は、外線、内線のモニタ音や、着信メロディ等を出力する。
【００２４】
音声経路制御部１５は、親機ハンドセット１３からの音声入出力と、回線入出力とを接続し、同様に、親機ハンドセット１３からの音声入出力を、子機の音声入出力と接続し、図示しない親機のメロディ音源の出力を、スピーカ１４と接続し、また、ハンドセットや子機からの音声入力を、Ａ／Ｄ変換部に入力する経路を接続する等し、外線通話、内線通話、子機外線通話、着信メロディ鳴動、音声認識を実現する。
【００２５】
また、オペレータは、操作部９を介して、電話帳の登録、ファクシミリ装置ＦＳ１の設定を行い、その内容が、メモリ５に記憶され、保持される。
【００２６】
子機１６は、無線Ｉ／Ｆ部１７と、メモリ１８と、マイク１９と、制御部２０と、スピーカ２１と、操作部２２と、表示部２３とを有する。
【００２７】
無線Ｉ／Ｆ部１７は、親機との間で、無線通信を行う際におけるインタフェース部であり、親機子機間で、音声、コマンド、データの授受を行う。
【００２８】
メモリ１８は、無線Ｉ／Ｆ部１７を介して、親機から受信したデータを格納し、子機の着信メロディを、ユーザが選択できるように、各種設定値等を格納している。
【００２９】
マイク１９、スピーカ２１は、それぞれ通話を行う際に使用され、マイク１９は、音声入力、音声認識する際にも使用される。
【００３０】
制御部２０は、マイクロプロセッサ素子等によって構成され、図示しないＲＯＭに格納されているプログラムに従って、子機の装置全体を制御する。
【００３１】
操作部２１は、子機１６の受話音量、着信音等、詳細な設定、子機専用の電話帳登録を、オペレータが行うときに使用する。
【００３２】
表示部２３は、子機でのダイヤル表示、ナンバーディスプレイ機能による相手の電話番号表示を行い、親機から受信した音声認識結果等をオペレータに表示する。
【００３３】
次に、本実施例における音声認識を利用した装置の機能に関する動作の概略について説明する。
【００３４】
図２は、本実施例における音声認識を利用した装置の機能に関する動作の概略を示す図である。
【００３５】
図２（１）は、ボイスダイヤルコマンド群を示す図である。
【００３６】
たとえば、「電話帳検索」という音声が認識され、続いて宛先名を音声入力することによって、電話帳内部が検索され、該当する宛先が親機１の表示部４に表示される。また、続けて「ダイヤル」という音声が認識されることによって、検索された宛先へダイヤルすることが可能であり、「転送」という音声が認識されると、子機１６へ電話帳転送が行われる。また、「１」、「２」というデジットの読みが音声認識されると、そのデジットに対応するダイヤルを行うことができる。このように、ボイスダイヤルコマンド群は、音声による発信や電話帳に対する操作を行うことのできるコマンド群である。
【００３７】
図２（２）は、留守録操作コマンド群を示す図である。
【００３８】
たとえば、「再生」という音声が認識されると、録音された用件メッセージの１件目から、再生を開始し、聞くことができる。また、「留守オン」という音声が認識されると、留守番モードをセットし、「留守オフ」という音声が認識されると、留守モードを解除することができる。
【００３９】
また、用件メッセージ再生中に、「次」という音声が認識されると、早送りされ、「リピート」という音声が認識されると、再生中のメッセージを繰り返し聞くことができる。このように、留守録操作コマンド群は、音声で留守録機能を操作することができるコマンド群である。
【００４０】
上記実施例は、音声認識処理をどのようなタイミングで起動し、中断させるかについて工夫する実施例であるので、音声認識で可能な機能や、音声認識コマンドをどのような認識アルゴリズムを認識しているかについて詳しく述べるものではない。
【００４１】
したがって、図２に示す音声認識を利用する機能以外の機能を、上記実施例に実装するようにしてもよい。
【００４２】
次に、本実施例における音声認識処理の起動と終了とのタイミングについて詳細に説明する。
【００４３】
図３は、本実施例において、ファクシミリ装置ＦＳ１における親機１が実行する音声認識の動作を示すシーケンス図である。
【００４４】
まず、Ｓ３１では、ユーザが、ハンドセットをオフフックする。Ｓ３２では、着信があるか否かを判断し、着信があると判断されると、ユーザは、着信に対する通常の通話を行うために、フックアップしたと考えられ、音声認識プロセスを起動する必要がない。したがって本シーケンスは終了する。
【００４５】
着信でない場合（Ｓ３２）、音声認識プロセスを起動する（Ｓ３３）。音声は、ハンドセットのマイク部から入力され、音声経路制御部１５を経て、Ａ／Ｄ変換部１１に入り、音声認識解析部６によって解析される。
【００４６】
Ｓ３４では、音声認識処理を行い、図２に示すように、音声コマンドを受け付け、所望の動作に移行する。ハンドセット１３からの音声は、音声の入力が終了するか、所定の認識時間が終了したと判断すると（Ｓ３５）、音声認識プロセスの終了を行う（Ｓ３７）が、音声入力終了と認識時間の終了とみなされない場合（Ｓ３５）、ダイヤル操作を監視し（Ｓ３６）、ダイヤル操作をすると、ユーザは、音声認識による動作への移行を望んでいないと考え、音声認識プロセスを終了する（Ｓ３７）。
【００４７】
ダイヤル操作がない場合（Ｓ３６）、音声認識処理を続行する。
【００４８】
図４は、実施例１において、子機１６が音声認識する動作を示すシーケンス図である。
【００４９】
まず、Ｓ４１では、ユーザは、子機１６の通話キーを押す等して通話を開始する。Ｓ４２では、ユーザが、外線通話を選択したのか、内線通話を選択したのかを判断する。外線通話が選択されると、着信があるか否かを判断する（Ｓ４３）。
【００５０】
着信があると判断されれば、ユーザは、着信に対する通常の通話を行おうとして通話を開始したと考えられ、音声認識プロセスを起動する必要がない。したがって、本シーケンスは終了する。
【００５１】
着信でない場合（Ｓ３）、音声認識プロセスの起動を行う（Ｓ４４）。音声は、子機１６のマイク１９から入力され、無線Ｉ／Ｆ１７部を介して、親機１の音声経路制御部１５を経て、Ａ／Ｄ変換部１１に入り、音声認識解析部６によって、解析される。
【００５２】
Ｓ４５では、音声認識処理を行い、図２で示すように、音声コマンドを受け付け、所望の動作に移行する。Ｓ４６では、音声の入力が終了するか、所定の認識時間が終了したと判断すると、音声認識プロセスの終了を行う（Ｓ４８）が、Ｓ４６では、音声入力終了でなく認識時間の終了でもない場合、Ｓ４７では、ダイヤル操作を監視し、ダイヤル操作をすると、ユーザは、音声認識による動作への移行を望まないと考え、音声認識プロセスを終了する（Ｓ４８）。ダイヤル操作がない場合（Ｓ４７）、音声認識処理を続行する。
【００５３】
一方、ユーザが内線通話を選択した場合（Ｓ４２）、内線で親機１を呼び出す（Ｓ４９）。つまり、無線Ｉ／Ｆ部１２を介して、子機１６から親機１へ、内線を呼び出し、コマンドが送信され、親機１がこのコマンドを受信し、親機１を呼び出すために、鳴動を開始する。同時に、図示しないが親機１では、ユーザが設定可能な内線呼び出し時間を持ち、所望の呼び出し時間が経過するか、または、親機１で他のユーザが応答すると（Ｓ４１０）、Ｓ４１１では、内線通話が確立され、親機１と子機１６との間で、内線通話可能となるが、同時に、Ｓ４１２では、音声認識プロセスを起動し、子機１６からの音声入力に対して、音声認識処理を行う（Ｓ４１３）。
【００５４】
子機１６から親機１への内線通話時に、子機１６から無線Ｉ／Ｆ部１７を介して入力される音声を、親機１のＡ／Ｄ変換部１１へ入力し、音声認識解析部６で解析を行う。このときに、本実施例のファクシミリ装置ＦＳ１は、親機１側からの音声については、Ａ／Ｄ変換部１１へ入力させないように、音声経路制御部１５を用いて、子機１６からの音声のみによって、音声認識可能である。
【００５５】
Ｓ４１４では、音声の入力が終了するか、所定の認識時間が終了したと判断すると、音声認識プロセスを終了し（Ｓ４８）、そうではない場合は、音声認識処理を続行する。
【００５６】
つまり、上記実施例は、音声のアナログ信号をデジタルデータに変換するＡ／Ｄ変換手段と、上記Ａ／Ｄ変換手段によって変換されたデジタルデータを、予め記憶されている語句のデジタルデータパターンと比較し、認識する音声認識解析手段とを具備する通信装置において、親機ハンドセットのオフフックを検知するオフフック検知手段と、着信があるか否かを検知する着信検知手段と、上記オフフック検知手段によってオフフックが検知され、かつ上記着信検知手段によって着信が無いと判断されると、上記音声認識解析手段を起動させるように制御する音声認識制御手段とを有する通信装置の例である。
【００５７】
これによれば、ユーザは、ハンドセット１３をオフフックするだけで特別な操作をせずに、音声認識コマンドを発声するだけでよく、着信があった場合は、発信相手と通話することが目的でハンドセットをオフフックしたものと考え、音声認識処理を起動しないので、ＣＰＵの負荷が軽減される。
【００５８】
また、上記実施例は、ユーザが操作して発信するためのダイヤル操作手段と、上記ダイヤル操作手段によってダイヤルされたか否かを検知するダイヤル検知手段と、上記ダイヤル検知手段がダイヤルされたと判断すると、上記音声認識解析手段による音声認識を中断する音声認識中断手段とを有する通信装置の例である。
【００５９】
これによれば、オフフックすることによって音声認識処理が開始されるが、ユーザが、ダイヤルを目的として何らかの操作をした場合は、音声認識処理が必要ないと判断し、音声認識処理を中断するので、ＣＰＵの負荷が軽減される。
【００６０】
さらに、上記実施例は、音声のアナログ信号をデジタルデータに変換するＡ／Ｄ変換手段と、上記Ａ／Ｄ変換手段によって変換されたデジタルデータを、予め記憶された語句のデジタルデータパターンと比較し、認識する音声認識解析手段を持つ通信装置において、着信があるか否かを検知する着信検知手段と、子機から外線に通話する子機外線通話手段と、子機から親機へ内線通話する子機内線通話手段と、上記子機外線通話手段または上記子機内線通話手段を選択する子機通話選択手段と、上記子機通話選択手段が子機外線通話を選択し、着信が無いことを上記着信検知手段が判断すると、上記音声認識解析手段を起動させるように制御する音声認識制御手段とを有する通信装置の例である。
【００６１】
これによれば、子機からの音声入力による音声認識処理で、着信がない場合にユーザが通話操作を行うと、特別な操作をせずに音声認識コマンドを発声するだけでよく、着信があった場合は、発信相手と通話することが目的で子機で通話操作をしたものと考え、音声認識処理を起動しないので、ＣＰＵの負荷が軽減される。
【００６２】
さらに、上記実施例は、子機を介して、ユーザが操作し、発信するための子機ダイヤル操作手段と、上記子機ダイヤル操作手段によってダイヤルされたか否かを検知する子機ダイヤル検知手段と、ダイヤルされたことを子機ダイヤル上記検知手段が判断すると、上記音声認識解析手段による音声認識を中断する音声認識中断手段とを有する通信装置の例である。
【００６３】
これによれば、子機で通話操作することによって音声認識処理が開始されるが、ユーザがダイヤルを目的として何らかの操作をした場合は、音声認識処理を必要としないと判断し、音声認識処理を中断するので、ＣＰＵの負荷が軽減される。
【００６４】
そして、上記実施例は、音声のアナログ信号をデジタルデータに変換するＡ／Ｄ変換手段と、上記Ａ／Ｄ変換手段によって変換されたデジタルデータを、予め記憶された語句のデジタルデータパターンと比較し、認識する音声認識解析手段を持つ通信装置において、着信があるか否かを検知する着信検知手段と、子機から外線に通話する子機外線通話手段と、上記子機から親機へ内線通話する子機内線通話手段と、子機外線通話手段または上記子機内線通話手段を選択する子機通話選択手段と、上記親機が内線に応答する親機内線応答手段と、上記子機通話選択手段が子機内線を選択し、上記親機内線応答手段が応答すると、上記音声認識解析手段を起動させるように制御する音声認識制御手段とを有する通信装置の例である。
【００６５】
これによれば、子機で内線通話が選択された場合、一意に音声認識処理を起動するようにすることで、回線を補足する必要のない音声認識アプリ、たとえば音声認識による子機から親機留守録機能の遠隔操作等、を起動するのに適した動作が提供可能である。
【００６６】
また、上記実施例を、プログラムの発明として把握することができる。つまり、上記実施例は、音声のアナログ信号をデジタルデータに変換するＡ／Ｄ変換手段と、上記Ａ／Ｄ変換手段によって変換されたデジタルデータを、予め記憶されている語句のデジタルデータパターンと比較し、認識する音声認識解析手段とを具備する通信装置を制御するプログラムにおいて、親機ハンドセットのオフフックを検知するオフフック検知手順と、着信があるか否かを検知する着信検知手順と、上記オフフック検知手順でオフフックが検知され、かつ上記着信検知手順で着信が無いと判断されると、上記音声認識解析手段を起動させるように制御する音声認識制御手順とをコンピュータに実行させるプログラムの例である。
【００６７】
また、上記実施例は、音声のアナログ信号をデジタルデータに変換するＡ／Ｄ変換手段と、上記Ａ／Ｄ変換手段によって変換されたデジタルデータを、予め記憶された語句のデジタルデータパターンと比較し、認識する音声認識解析手段を持つ通信装置を制御するプログラムにおいて、着信があるか否かを検知する着信検知手順と、子機から外線に通話する子機外線通話手順と、子機から親機へ内線通話する子機内線通話手順と、上記子機外線通話手順または上記子機内線通話手順を選択する子機通話選択手順と、上記子機通話選択手順で子機外線通話を選択し、着信が無いことを上記着信検知手順で判断すると、上記音声認識解析手段を起動させるように制御する音声認識制御手順とをコンピュータに実行させるプログラムの例である。
【００６８】
さらに、上記実施例は、音声のアナログ信号をデジタルデータに変換するＡ／Ｄ変換手段と、上記Ａ／Ｄ変換手段によって変換されたデジタルデータを、予め記憶された語句のデジタルデータパターンと比較し、認識する音声認識解析手段を持つ通信装置を制御するプログラムにおいて、着信があるか否かを検知する着信検知手順と、子機から外線に通話する子機外線通話手順と、上記子機から親機へ内線通話する子機内線通話手順と、子機外線通話手順または上記子機内線通話手順を選択する子機通話選択手順と、上記親機が内線に応答する親機内線応答手順と、上記子機通話選択手順で子機内線を選択し、上記親機内線応答手順で応答すると、上記音声認識解析手段を起動させるように制御する音声認識制御手順とをコンピュータに実行させるプログラムの例である。
【図面の簡単な説明】
【００６９】
【図１】本発明の実施例１であるコードレス電話機付きファクシミリ装置ＦＳ１を示すブロック図である。
【図２】本実施例における音声認識を利用した装置の機能に関する動作の概略を示す図である。
【図３】本実施例において、ファクシミリ装置ＦＳ１における親機１が実行する音声認識の動作を示すシーケンス図である。
【図４】実施例１において、子機１６が音声認識する動作を示すシーケンス図である。
【符号の説明】
【００７０】
１…親機、
２…読取部、
３…記録部、
４…表示部、
５…メモリ、
６…音声認識解析部、
７…通信部、
８…制御部、
９…操作部、
１０…音声メモリ、
１１…Ａ／Ｄ変換部、
１２…無線Ｉ／Ｆ部、
１３…ハンドセット、
１４…スピーカ、
１５…音声経路制御部、
１６…子機、
１７…無線Ｉ／Ｆ部、
１８…メモリ、
１９…マイク、
２０…制御部、
２１…スピーカ、
２２…制御部、
２３…表示部。
【図１】
2005277518.tif 000003
【図２】
2005277518.tif 000004
【図３】
2005277518.tif 000005
【図４】
2005277518.tif 000006